(57)【要約】【課題】コンパクトに折り畳むことができ、かつ速やかに組み立てることができる。【解決手段】矩形状の底板３と、底板３の一方向の二つの縁５に沿って立設される側板１４、２２と、底板３の他方向の二つの縁７に沿って立設される端板３１、３７とを備え、底板３は二つの縁５に沿う方向に延在し互いに連結される一対の平板９を有し、この一対の平板９は互いに連結される中央の縁１１および両側の縁寄りにおいて折り曲げ可能に形成され、一方の端板３１と二つの側板１４、２２とは、各部材の端面が４５度に切断され留め接ぎ可能に形成され、一方の端板の一端３２は一方の側板の一端１６に対して回転可能に連結され、他方の端板３７は底板３、二つの側板１４、２２および一方の端板３１に対して別体として形成され、底板３、二つの側板１４、２２および端板３１が組立てられた状態で、これらの端面に固定できるように形成される。【選択図】        図７
2004313505.tif 000002
【特許請求の範囲】
【請求項１】
矩形状の底板と、該底板における一方向の二つの縁に沿って立設される側板と、前記底板における他方向の二つの縁に沿って立設される端板とを備え、前記底板は前記一方向に沿う方向に延在し互いに連結される一対または複数対の平板を有し、該一対または複数対の平板は互いに連結される縁において折り曲げ可能に形成され、前記底板と前記側板とは互いに連結される前記底板の縁寄りにおいて折り曲げ可能に形成され、前記端板のうちの一方の端板と前記二つの側板とは、各部材の端面が斜めに切断されて留め接ぎ可能に形成され、前記一方の端板の一端は前記側板のうちの一方の側板の一端に対して回転可能に連結され、前記端板のうちの他方の端板は前記底板、前記二つの側板および前記一方の端板に対して別体として形成され、該底板、該二つの側板および該一方の端板が組み立てられた状態で前記底板および二つの側板の他端に固定されるように形成されてなる収納体。
【発明の詳細な説明】
【０００１】
【発明の属する技術分野】
本発明は、家具、什器などの構成体として、またこれら構成体に収める引出しとして、あるいは収納庫などに物品を入れて納める容器として使用できる収納体に関するものである。
【０００２】
【従来の技術】
従来の収納体は、たとえば側板を枠状に組んで枠体となし、その一方の開口部に底板を取り付けて収納体とするものが知られている。しかしながら、このような収納体を製品として製作し、一度に多量の収納体を輸送ないし運搬する場合には、収納体自体が嵩張るので、輸送ないし運搬の際の積載効率を悪くしていた。
【０００３】
輸送ないし運搬の際の積載効率を良くするため、たとえばキッチンユニットなどにおいては、側板を折れ曲がるようにして、キッチンユニット自体の高さを小さくするもの（特許文献１）もあるが、収納体として汎用的に利用できるものではなく、広範囲に適用できるものはいまだ見当たらない。
【０００４】
【特許文献１】
特開平８−１００６６号公報（第２頁〜第３頁、図２）
【０００５】
【発明が解決しようとする課題】
先に記載したように、従来の収納体は、側板を枠状に組んで枠体となし、その一方の開口部に底板を取り付けて収納体とするものであるので、嵩が大きくなり、この収納体を一度に多量に輸送ないし運搬する際には積載効率が悪い。また、先のキッチンユニット（特許文献１）においては、輸送、運搬時の積載効率の問題はある程度解決されているが、収納体としては適用の自由度が小さく一層の改善が望まれる。
【０００６】
本発明は、コンパクトに折り畳むことができ、かつ速やかに組み立てることができることを課題とする。
【０００７】
【課題を解決するための手段】
上記課題を解決するため、本発明は、矩形状の底板と、この底板における一方向の二つの縁に沿って立設される側板と、底板における他方向の二つの縁に沿って立設される端板とを備える。さらに、底板は一方向に沿う方向に延在し互いに連結される一対または複数対の平板を有し、これら一対または複数対の平板は互いに連結される縁において折り曲げ可能に形成され、底板と側板とは互いに連結される底板の縁寄りにおいて折り曲げ可能に形成される。
【０００８】
さらに、端板のうちの一方の端板と二つの側板とは、各部材の端面が斜めに切断されて留め接ぎ可能に形成され、一方の端板の一端は側板のうちの一方の側板の一端に対して回転可能に連結される。そして、端板のうちの他方の端板は底板、二つの側板および一方の端板に対して別体として形成され、底板、二つの側板および一方の端板が組み立てられた状態で底板および二つの側板の他端に固定されるように形成されてなることを特徴とする。
【０００９】
このようにすることにより、底板は矩形状に形成され、この矩形状の底板における一方向の二つの縁に沿って側板が立設され、他方向の二つの縁に沿って端板が立設される。さらに、底板は互いに連結される一対または複数対の平板を有し、これら一対または複数対の平板は互いに連結される縁において折り曲げ可能に形成され、底板と側板とは互いに連結される底板の縁寄りにおいて折り曲げ可能に形成されるので、一対または複数対の平板は折り曲げられることができる。また、折り曲げられた状態から一対または複数対の平板を開いて平坦な底板とすることができる。このようにして形成された底板の両縁に沿って側板が、これと直交する両縁に沿って端板が立設される。
【００１０】
さらに、一方の端板の一端は側板のうちの一方の側板の一端に対して回転可能に連結されるので、一方の端板を回転させて、この端板の両端を二つの側板の一端まで回転させることができる。この際、一方の端板の両端と二つの側板の一端とは、各部材の端面が斜めに切断され留め接ぎ可能に形成されるので、一方の端板の板面は、底板と二つの側板の端面に合せられ立設される。
【００１１】
他方の端板は、底板、二つの側板および一方の端板に対して別体として形成され、底板、二つの側板および一方の端板が組み立てられた状態で底板および二つの側板の他端に固定される。このように、本発明の収納体は、コンパクトに折り畳まれるので、本収納体の部材を輸送ないし運搬する際には積載効率が良い。また、折り曲げられた状態から速やかに組み立てられるので、組み立てに時間がかからず施工性も良い。
【００１２】
次に本発明を構成する各要件についてさらに詳しく説明する。本発明の収納体は、たとえば、家具、什器などの構成体として、またこれら構成体に収める引出しとして、あるいは収納庫などに物品を入れて納める容器として使用できる。また、本発明の収納体は、蓋を設けて箱体（または箱状）として使用しても良い。
【００１３】
底板は、一対または複数対の平板で形成され、互いに連結される縁および側板側の縁寄りにおいて折り曲げ可能である。なお、対の平板の中央の縁に対して対の平板の両縁寄りは反対の方向に折り曲げ可能であり、平板全体としてはジグザグ状に折り曲げられる。折り曲げ部分は、折り曲げ可能な手段を設けるが、たとえば可撓性または軟質のシートを貼着しても良いし、丁番などの回転可能固定具を使用しても良い。
【００１４】
一方の端板の両端面および側板の一側の端面は斜めに切断され、一方の端板の端面を側板の端面に突き合わせたときに二つの部材が留め接ぎ可能となるようになされる。各部材の端面の切断角度は、好ましくは４５度になると良い。他方の端板と二つの側板との固定は、たとえばダボとダボ穴、またはビス（木ねじ）などで固定しても良い。さらに、本収納体の固定部分において、接着剤を併用しても良い。接着剤（合成樹脂）としては、たとえば酢酸ビニル系、酢酸ビニル・アクリル系、エチレン・酢酸ビニル系、アクリル・エチレン系、ウレタン系などを使用し、接着される部材の材質を考慮して決められる。
【００１５】
底板、側板および端板の材料は、特に限定されないが、たとえば、合板、木質繊維板（ＭＤＦなど）、木削片板、単板積層板などの木質系の板、スチロール樹脂、塩化ビニル樹脂、強化プラスチック、発泡スチロール樹脂、発泡ウレタン樹脂などの合成樹脂系の板、あるいは鉄、アルミニウム合金などの金属系の板、または木質系、合成樹脂系、金属系などの複合板材を使用できる。
【００１６】
【発明の実施の形態】
以下、本発明に係る収納体の実施形態を図面に基づいて詳細に説明する。なお、図１〜８において、同一または同等部分には同一符号を付けて示す。
【００１７】
図１は、本発明に係る収納体の一実施形態を示す平面図である。図２は、図１における正面図である。図３は、図２における左側面図である。図４は、図２における右側面図である。本実施形態の収納体１は、たとえば、家具、什器などに収める引出しとして、あるいは収納庫などに物品を入れて納める容器として使用できる。さらに、収納体１は、図示していない蓋を設けて箱体（または箱状）としても良い。
【００１８】
図１に示すように、収納体１は、矩形状の底板３と、この底板３における一方向４１の二つの縁５に沿って立設される一方の側板１４および他方の側板２２と、底板３における他方向４２の二つの縁７に沿って立設される一方の端板３１および他方の端板３７とを備える。
【００１９】
さらに、底板３は一方向４１に沿う方向に延在し互いに連結される一対の平板９を有し、この一対の平板９は互いに連結される縁である中央の縁１１において折り曲げ可能に形成され、さらに、底板３と側板１４、２２とは互いに連結される底板３の縁寄り、すなわち底板３と側板１４、２２とが交わる線１２において折り曲げ可能に形成される。折り曲げ部分には可撓性または軟質のシート４３、４４、４５が貼着されることにより連結される。なお、対の平板の中央の縁１１に対して平板と側板との交わる線１２部分の折り曲げ方向は反対の方向に折り曲げられる。
【００２０】
さらに、端板のうちの一方の端板３１の両端面３４、３５と二つの側板１４、２２の一側の端面１７、２５は、それぞれ４５度に切断されて留め接ぎ可能となるように突き合わせられる。さらに、一方の端板の一端３２は側板のうちの一方の側板の一端１６に対して回転可能に連結されるが、この場合、回転可能部分には可撓性または軟質のシート４６が貼着され、これにより回転可能に連結される。
【００２１】
そして、端板のうちの他方の端板３７は底板３、二つの側板１４、２２および一方の端板３１に対して別体として形成される。底板３、二つの側板１４、２２および一方の端板３１が組立てられた状態で、底板３および側板１４、２２の端面に対して端板の板面が当接するように固定される。底板３、側板１４、２２および端板３１、３７の材料は、特に限定されないが、たとえば、合板、木質繊維板（ＭＤＦなど）、木削片板、単板積層板などの木質系を使用しても良い。
【００２２】
図５は、図１におけるＡ−Ａ線断面図である。図６は、図１におけるＢ−Ｂ線断面図である。図５に示すように、他方の端板３７と側板２２（１４）とは側板２２（１４）に設けられたダボ２７（１９）を他方の端板３７に設けられたダボ穴３９に嵌合させることにより固定される。なお、この場合にも接着剤を併用する。ダボ２７（１９）は側板２２（１４）の上下に１箇所ずつ設けられる。さらに、一方の側板１４、他方の側板２２、一方の端板３１および他方の端板３７は、それぞれその下端内側に底板３の縁が入るアリ溝状の切欠き１８、２６、３６、３８を有する。
【００２３】
図５に示すように、底板３の二つの平板９が同一平面上に位置する状態で各平板の縁７の表面と側面は、端板３１、３７の切欠き３６、３８の２面に当接する。すなわち、平板の右側縁７の表面は端板３１の切欠き３６の水平面に、平板の右側縁７の側面は端板３１の切欠き３６の垂直面にそれぞれ当接する。平板の左側縁７の表面と側面についても切欠き３８の水平面と垂直面にそれぞれ当接する。
【００２４】
同様に、図６に示すように、底板３の二つの平板９が同一平面上に位置する状態で各平板の縁５の表面と側面は、側板１４、２２の切欠き１８、２６の２面に当接する。すなわち、平板の右側縁５の表面は側板１４の切欠き１８の水平面に、平板の右側縁５の側面は側板１４の切欠き１８の垂直面にそれぞれ当接する。平板の左側縁５の表面と側面についても切欠き２６の水平面と垂直面にそれぞれ当接する。
【００２５】
以上の構造を有する本実施形態の収納体１の作用について説明する。図１〜４に示すように、収納体の底板３は矩形状に形成される。この矩形状の底板３における一方向の二つの縁５に沿って側板１４、２２が立設され、他方向の二つの縁７に沿って端板３１、３７が立設される。
【００２６】
図７は、図１〜６に示した収納体１の組立て方法を説明する斜視図である。底板３は互いに隣接する一対の平板９を有し、これら一対の平板９は互いに隣接する中央の縁１１および両側の側板との交わる線１２において折り曲げ可能に連結されるので、一対の平板９は山形に折り曲げられる。
【００２７】
図８は、図１〜６に示した収納体１の折り畳んだ状態の斜視図である。この図に示すように、平板９の幅寸法と側板１４、２２の幅寸法とを略等しくすることにより幅の揃った折り畳み状態とすることができる。この図８において他方の端板３７は一方の側板１４の上に載置される。折り畳まれた状態で輸送ないし運搬をすることができる。この折り畳まれた状態から収納体１を組み立てるには、次のようになされる。
【００２８】
図７において、折り畳まれた状態から一方の側板１４と他方の側板２２とを他方向４２に引き離して一対の平板９を開く。一方の側板１４と他方の側板２２とを引き離して開くと、一対の平板９は平坦な底板３となる。この状態で側板１４、２２は立設され、底板３の一方向４１の二つの縁５は、側板の切欠き１８、２６（図６）内に位置し、他方向４２の二つの縁７は、端板の切欠き３６、３８（図５）内に位置する。
【００２９】
さらに、図７に示すように、一方の端板の一端３２は一方の側板の一端１６に対して可撓性または軟質のシート４６で回転可能に連結されるので、一方の端板３１を水平面内で回転させて端板の他端３３を他方の側板の一端２４に当接させる。このとき、端板の端面３４、３５と側板１４、２２の端面１７、２５は４５度に切断されているので、端板の端面３４と側板の端面１７、端板の端面３５と側板の端面２５は留め接ぎ可能に形成される。この状態で端板３１は立設される。
【００３０】
次に、他方の端板３７は、底板３、二つの側板１４、２２および一方の端板３１に対して別体として形成される。側板１４、２２に設けられたダボ１９、２７を他方の端板３７に設けられたダボ穴３９に押し込み、端板３７を固定する。このように、他方の端板３７は、底板３、二つの側板１４、２２および端板３１が組立てられた状態で他方の端板３７の板面が底板３および側板１４、２２の端面に当接し固定される。なお、底板３、側板１４、２２、端板３１、３７の各当接面には接着剤が塗布され接着される。
【００３１】
以上のように、収納体１は、コンパクトに折り畳まれるので、収納体１の部材を輸送ないし運搬する際には積載効率が良い。また、折り畳まれた状態から速やかに組み立てられるので、組み立てに時間がかからず施工性も良い。
【００３２】
以上この発明を図示の実施形態について詳しく説明したが、それを以ってこの発明を図示の実施形態のみに限定するものではなく、たとえば、底板３を形成する平板９の幅が側板の幅より小さい場合や大きい場合などでも適用できるものであり、この発明の精神を逸脱せずして種々改変を加えて多種多様の変形をなし得ることは云うまでもない。
【００３３】
【発明の効果】
本発明によれば、コンパクトに折り畳むことができ、かつ速やかに組み立てることができるので、輸送または運搬の積載効率が良く、かつ施工性が良い。
【図面の簡単な説明】
【図１】本発明に係る収納体の一実施形態を示す平面図である。
【図２】図１における正面図である。
【図３】図２における左側面図である。
【図４】図２における右側面図である。
【図５】図１におけるＡ−Ａ線断面図である。
【図６】図１におけるＢ−Ｂ線断面図である。
【図７】図１〜６に示した収納体の組立て方法を説明する斜視図である。
【図８】図１〜６に示した収納体の折り畳んだ状態の斜視図である。
【符号の説明】
１  収納体
３  底板
５  一方向の二つの縁
７  他方向の二つの縁
９  平板
１１  中央の縁
１２  交わる線
１３  他端
１４  一方の側板
１６  一端
１７  端面
２０  他端
２２  他方の側板
２４  一端
２５  端面
２８  他端
３１  一方の端板
３２  一端
３３  他端
３４、３５  端面
３７  他方の端板
４１  一方向
４２  他方向
【図１】
2004313505.tif 000003
【図２】
2004313505.tif 000004
【図３】
2004313505.tif 000005
【図４】
2004313505.tif 000006
【図５】
2004313505.tif 000007
【図６】
2004313505.tif 000008
【図７】
2004313505.tif 000009
【図８】
2004313505.tif 000010